(57)【特許請求の範囲】
【請求項１】
符号化映像信号が入力され、入力された符号化映像信号に含まれている復号化時刻および提示時刻を示す時刻情報にしたがって、入力された符号化映像信号を復号化して提示させる映像復号器と、符号化音声信号が入力され、入力された符号化音声信号に含まれている復号化時刻および提示時刻を示す時刻情報にしたがって、入力された符号化音声信号を復号化して提示させる音声復号器とを備えているデジタルテレビジョン受像機において、
トランスポートストリームから分離された符号化映像信号を、映像復号器に送るとともに映像保存用メモリに循環的に保存させる手段、
トランスポートストリームから分離された符号化音声信号を、音声復号器に送るとともに音声保存用メモリに循環的に保存するための手段、
視聴者から再生指令が入力されたときに、トランスポートストリームから分離された符号化映像信号および符号化音声信号の映像復号器および音声復号器への送出を停止させるとともに、映像保存用メモリおよび音声保存用メモリへの書き込みを停止させ、映像保存用メモリおよび音声保存用メモリに保存されている符号化映像信号および符号化音声信号を繰り返して読み出す読出手段、
読出手段によって読み出された符号化映像信号および符号化音声信号それぞれに含まれている時刻情報を現在のシステムクロックに適合した再生用時刻情報に入れ替える時刻情報更新手段、ならびに
時刻情報更新手段によって時刻情報が更新された符号化映像信号を映像復号器に送るとともに、時刻情報更新手段によって時刻情報が更新された符号化音声信号を音声復号器に送る手段、
を備えているデジタルテレビジョン受信機。
【請求項２】
符号化映像信号が入力され、入力された符号化映像信号に含まれている復号化時刻および提示時刻を示す時刻情報にしたがって、入力された符号化映像信号を復号化して提示させる映像復号器と、符号化音声信号が入力され、入力された符号化音声信号に含まれている復号化時刻および提示時刻を示す時刻情報にしたがって、入力された符号化音声信号を復号化して提示させる音声復号器とを備えているデジタルテレビジョン受像機において、
トランスポートストリームから分離された符号化映像信号が映像復号器に送られているとともに、トランスポートストリームから分離された符号化音声信号が音声復号器に送られている状態において、視聴者から保存指令が入力されたときには、トランスポートストリームから分離された符号化映像信号を、映像復号器に送ると同時に映像保存用メモリに書き込んでいくともに、トランスポートストリームから分離された符号化音声信号を音声復号器に送ると同時に音声保存用メモリに書き込んでいき、映像保存用メモリおよび音声保存用メモリのうちのいずれかが満杯になったときに、符号化映像信号および符号化音声信号のメモリへの書き込みを停止する手段、
視聴者から再生指令が入力されたときに、トランスポートストリームから分離された符号化映像信号および符号化音声信号の映像復号器および音声復号器への送出を停止させ、映像保存用メモリおよび音声保存用メモリに保存されている符号化映像信号および符号化音声信号を繰り返して読み出す読出手段、
読出手段によって読み出された符号化映像信号および符号化音声信号それぞれに含まれている時刻情報を現在のシステムクロックに適合した再生用時刻情報に入れ替える時刻情報更新手段、ならびに
時刻情報更新手段によって時刻情報が更新された符号化映像信号を映像復号器に送るとともに、時刻情報更新手段によって時刻情報が更新された符号化音声信号を音声復号器に送る手段、
を備えているデジタルテレビジョン受信機。
【発明の詳細な説明】
【０００１】
【発明の属する技術分野】
この発明は、デジタルテレビジョン受信機に関する。
【０００２】
【従来の技術】
視聴者が受信したデジタルＴＶ映像を再度視聴するためには、従来では、復号化した映像と音声をＶＴＲに録音し、ＶＴＲで再生を行なう必要があった。
【０００３】
ところで、視聴者は、ＶＴＲによる録画を行なっていない場合において、懸賞の申込みや料理のレシピなどが放映されている場合に、興味があっても詳細を見逃してしまうことがある。
【０００４】
また、視聴者は、ＶＴＲによる録画を行なっていない場合において、重要なシーンを緊急に保存し、再度視聴したい場合がある。
【０００５】
【発明が解決しようとする課題】
この発明は、見逃したシーンを再度視聴することができるようになるデジタルテレビジョン受信機を提供することを目的とする。
【０００６】
この発明は、重要なシーンを保存して再度視聴することができるようになるデジタルテレビジョン受信機を提供することを目的とする。
【０００７】
【課題を解決するための手段】
この発明による第１のデジタルテレビジョン受信機は、符号化映像信号が入力され、入力された符号化映像信号に含まれている復号化時刻および提示時刻を示す時刻情報にしたがって、入力された符号化映像信号を復号化して提示させる映像復号器と、符号化音声信号が入力され、入力された符号化音声信号に含まれている復号化時刻および提示時刻を示す時刻情報にしたがって、入力された符号化音声信号を復号化して提示させる音声復号器とを備えているデジタルテレビジョン受像機において、トランスポートストリームから分離された符号化映像信号を、映像復号器に送るとともに映像保存用メモリに循環的に保存させる手段、トランスポートストリームから分離された符号化音声信号を、音声復号器に送るとともに音声保存用メモリに循環的に保存するための手段、視聴者から再生指令が入力されたときに、トランスポートストリームから分離された符号化映像信号および符号化音声信号の映像復号器および音声復号器への送出を停止させるとともに、映像保存用メモリおよび音声保存用メモリへの書き込みを停止させ、映像保存用メモリおよび音声保存用メモリに保存されている符号化映像信号および符号化音声信号を繰り返して読み出す読出手段、読出手段によって読み出された符号化映像信号および符号化音声信号それぞれに含まれている時刻情報を現在のシステムクロックに適合した再生用時刻情報に入れ替える時刻情報更新手段、ならびに時刻情報更新手段によって時刻情報が更新された符号化映像信号を映像復号器に送るとともに、時刻情報更新手段によって時刻情報が更新された符号化音声信号を音声復号器に送る手段を備えていることを特徴とする。
【０００８】
この発明による第２のデジタルテレビジョン受信機は、符号化映像信号が入力され、入力された符号化映像信号に含まれている復号化時刻および提示時刻を示す時刻情報にしたがって、入力された符号化映像信号を復号化して提示させる映像復号器と、符号化音声信号が入力され、入力された符号化音声信号に含まれている復号化時刻および提示時刻を示す時刻情報にしたがって、入力された符号化音声信号を復号化して提示させる音声復号器とを備えているデジタルテレビジョン受像機において、トランスポートストリームから分離された符号化映像信号が映像復号器に送られているとともに、トランスポートストリームから分離された符号化音声信号が音声復号器に送られている状態において、視聴者から保存指令が入力されたときには、トランスポートストリームから分離された符号化映像信号を、映像復号器に送ると同時に映像保存用メモリに書き込んでいくともに、トランスポートストリームから分離された符号化音声信号を音声復号器に送ると同時に音声保存用メモリに書き込んでいき、映像保存用メモリおよび音声保存用メモリのうちのいずれかが満杯になったときに、符号化映像信号および符号化音声信号のメモリへの書き込みを停止する手段、視聴者から再生指令が入力されたときに、トランスポートストリームから分離された符号化映像信号および符号化音声信号の映像復号器および音声復号器への送出を停止させ、映像保存用メモリおよび音声保存用メモリに保存されている符号化映像信号および符号化音声信号を繰り返して読み出す読出手段、読出手段によって読み出された符号化映像信号および符号化音声信号それぞれに含まれている時刻情報を現在のシステムクロックに適合した再生用時刻情報に入れ替える時刻情報更新手段、ならびに時刻情報更新手段によって時刻情報が更新された符号化映像信号を映像復号器に送るとともに、時刻情報更新手段によって時刻情報が更新された符号化音声信号を音声復号器に送る手段を備えていることを特徴とする。
【０００９】
【発明の実施の形態】
図１は、デジタルテレビジョン受信機の主要部の構成を示している。
【００１０】
符号化映像信号抜き出し部１は、デジタル復調されることによって得られたトランスポートストリーム（ＭＰＥＧ２ＴＳ信号）から、符号化映像信号を抜き出す。また、符号化音声信号抜き出し部２は、トランスポートストリームから符号化音声信号を抜き出す。
【００１１】
符号化映像信号抜き出し部１および符号化音声信号抜き出し部２によって抜き出された信号は、ＰＥＳストリームと呼ばれる形式の信号で、復号化すべき時刻（ＤＴＳ）と提示すべき時刻（ＰＴＳ）がＰＥＳストリーム内に記述されている。
【００１２】
システムクロック生成部３では基準時刻を生成しており、この基準時刻に基づいて映像復号器１６および音声復号器２６が復号化処理および提示処理を行う。例えば、システムクロックが映像ＰＥＳストリームのＤＴＳに達すれば、映像復号器１６は映像ＰＥＳストリームを復号化し、システムクロックが映像ＰＥＳストリームのＰＴＳに達すれば映像復号器１６は復号した映像を提示する。
【００１３】
視聴者が放送を視聴している場合には、映像復号器１６及び音声復号器２６には、それぞれ符号化映像信号抜き出し部１および符号化音声信号抜き出し部２の出力が入力される。各復号器１６、２６は、ＰＥＳストリーム中のＤＴＳ、ＰＴＳにしたがって復号化処理および提示処理を行い、映像と音声とを出力する。
【００１４】
この受信機では、動作モードとして、見逃したシーンを再度視聴することができるようにするための見逃しシーン再生モードと、重要なシーンを保存して再度視聴することができるようにするための重要シーン保存モードとがある。視聴者は、いずれかの動作モードを設定できるようになっている。
【００１５】
〔１〕見逃しシーン再生モードが設定されている場合の動作の説明
【００１６】
見逃しシーン再生モードが設定されている場合の動作について説明する。見逃しシーン再生モードが設定されている場合には、マイコン５から映像用バッファ１２を制御するメモリコントローラ１４および音声用バッファ２２を制御するメモリコントローラ２４に対して、常時は書き込み指令が送られている。
【００１７】
プリバッファ１１は、符号化映像信号抜き出し部１によって得られたＰＥＳストリームを一時的に格納し、後段の映像用バッファ１２に、復号化できる単位毎にＰＥＳストリームを書き込む。
【００１８】
映像用バッファ１２は、プリバッファ１１から供給されるＰＥＳストリームを順次書き込んでいき、映像用バッファ１２の最終アドレスに到達すると、それ以降に供給されるＰＥＳストリームを、バッファ１２の先頭アドレスから書き込んでいく。このように、映像用バッファ１２のＰＥＳストリームは順次更新されるので、映像用バッファ１２には、常に最新のＰＥＳストリームが保存される。
【００１９】
プリバッファ２１は、符号化音声信号抜き出し部２によって得られたＰＥＳストリームを一時的に格納し、後段の音声用バッファ２２に、復号化できる単位毎にＰＥＳストリームを書き込む。
【００２０】
音声用バッファ２２は、プリバッファ２１から供給されるＰＥＳストリームを順次書き込んでいき、音声用バッファ２２の最終アドレスに到達すると、それ以降に供給されるＰＥＳストリームを、バッファ２２の先頭アドレスから書き込んでいく。このように、音声用バッファ２２のＰＥＳストリームは順次更新されるので、音声用バッファ２２には、常に最新のＰＥＳストリームが保存される。
【００２１】
視聴者が見逃したシーンを再生したい場合には、図示しないリモコン等によって再生指令を入力する。この再生指令は、マイコン５に入力される。マイコン５は、再生指令が入力されると、スイッチ１５、２５を再生信号側（時刻情報更新部１３、２３の出力を選択する側）に切り替えるとともに、両メモリコントローラ１４、２４に、読み出し指令を送る。
【００２２】
両メモリコントローラ１４、２４は、読み出し指令を受信すると、バッファ１２、２２へのＰＥＳストリームの書き込みを停止させ、バッファ１２、２２から、バッファ１２、２２に書き込みが行なわれた順番に（古いものから順番に）、ＰＥＳストリームを読み出していく。最後に書き込まれたＰＥＳストリームをバッファ１２、２２から読み出せば、最初に書き込んだＰＥＳストリームから再度読み出す。このように、バッファメモリ１２、２２からＰＥＳストリームの読み出しを繰り返して行なう。
【００２３】
バッファ１２、２２に蓄えられていたＰＥＳストリームのＰＴＳ及びＤＴＳの時刻情報は、バッファ１２、２２に記憶された値のままである。これらの時刻情報を、現在のシステムクロックにあったものにするため、再生用時刻情報生成部４は、再生用時刻情報を生成して、バッファ１２、２２の後段の時刻情報更新部１３、２３に送る。
【００２４】
時刻情報更新部１３、２３は、バッファ１２、２２から出力されるＰＥＳストリームの時刻情報を再生用時刻情報生成部４によって生成された再生用時刻情報と入れ替える。
【００２５】
復号器１６、２６には、バッファ１２、２２から読み出されかつ時刻情報更新部１３、２３によって時刻情報が入れ替えられたＰＥＳストリームが、スイッチ１５、２５を介して送られる。これにより、見逃したシーンが繰り返し提示されるようになる。なお、通常の状態に戻すには、視聴者が再生停止指令を入力すればよい。
【００２６】
〔２〕重要シーン保存モードが設定されている場合の動作の説明
【００２７】
重要シーン保存モードが設定されている場合の動作について説明する。重要シーン保存モードが設定されている場合には、マイコン５から映像用バッファ１２を制御するメモリコントローラ１４および音声用バッファ２２を制御するメモリコントローラ２４に対して、常時は書き込み指令は送られていない。
【００２８】
映像用バッファ１２には、符号化映像信号抜き出し部１によって得られたＰＥＳストリームがプリバッファ１１を介して供給されるが、ＰＥＳストリームは映像用バッファ１２には書き込まれない。
【００２９】
同様に、音声用バッファ２２には、符号化音声信号抜き出し部２によって得られたＰＥＳストリームがプリバッファ２１を介して供給されるが、ＰＥＳストリームは音声用バッファ２２には書き込まれない。
【００３０】
視聴者が重要なシーンを保存したい場合には、図示しないリモコン等によって保存指令を入力する。この保存指令は、マイコン５に入力される。マイコン５は、保存指令が入力されると、両メモリコントローラ１４、２４に、書き込み指令を送る。
【００３１】
両メモリコントローラ１４、２４は、書き込み指令を受信すると、プリバッファ１１、２１からそれぞれ両バッファ１２、２２に供給されているＰＥＳストリームを、バッファ１２、２２にその先頭アドレスから書き込んでいく。そして、バッファ１２、２２のうちのいずれかのバッファが満杯となると（いずれかのバッファにおいてＰＥＳストリームが最終アドレスまで書き込まれると）、両バッファ１２、２２へのＰＥＳストリームの書き込みを停止させる。
【００３２】
視聴者が重要なシーンを再生したい場合には、図示しないリモコン等によって再生指令を入力する。この再生指令は、マイコン５に入力される。マイコン５は、再生指令が入力されると、スイッチ１５、２５を再生信号側（時刻情報更新部１３、２３の出力を選択する側）に切り替えるとともに、両メモリコントローラ１４、２４に、読み出し指令を送る。
【００３３】
両メモリコントローラ１４、２４は、読み出し指令を受信すると、バッファ１２、２２へのＰＥＳストリームの書き込みが停止させ、バッファ１２、２２から、バッファ１２、２２に書き込みが行なわれた順番に（古いものから順番に）、ＰＥＳストリームを読み出していく。最後に書き込まれたＰＥＳストリームをバッファ１２、２２から読み出せば、最初に書き込んだＰＥＳストリームから再度読み出す。このように、バッファメモリ１２、２２からＰＥＳストリームの読み出しを繰り返して行なう。
【００３４】
バッファ１２、２２に蓄えられていたＰＥＳストリームのＰＴＳ及びＤＴＳの時刻情報は、バッファ１２、２２に記憶された値のままである。これらの時刻情報を、現在のシステムクロックにあったものにするため、再生用時刻情報生成部４は、再生用時刻情報を生成して、バッファ１２、２２の後段の時刻情報更新部１３、２３に送る。
【００３５】
時刻情報更新部１３、２３は、バッファ１２、２２から出力されるＰＥＳストリームの時刻情報を再生用時刻情報生成部４によって生成された再生用時刻情報と入れ替える。
【００３６】
復号器１６、２６には、バッファ１２、２２から読み出されかつ時刻情報更新部１３、２３によって時刻情報が入れ替えられたＰＥＳストリームが、スイッチ１５、２５を介して送られる。これにより、視聴者が重要であると判断して保存した重要なシーンが繰り返し提示されるようになる。なお、通常の状態に戻すには、視聴者が再生停止指令を入力すればよい。
【００３７】
【発明の効果】
この発明によれば、見逃したシーンを再度視聴することができるようになる。また、この発明によれば、重要なシーンを保存して再度視聴することができるようになる。
【図面の簡単な説明】
【図１】デジタルテレビジョン受信機の主要部の構成を示すブロック図である。
【符号の説明】
４  再生用時刻情報生成部
５  マイコン
１１  プリバッファ
１２  映像用バッファ
１３  時刻情報更新部
１４  メモリコントローラ
１５  切替えスイッチ
１６  映像復号器
２１  プリバッファ
２２  音声用バッファ
２３  時刻情報更新部
２４  メモリコントローラ
２５  切替えスイッチ
２６  音声復号器
【図１】
0003634697.tif 000002